(57)【要約】      （修正有）【課題】識別機能や魚礁形成機能など複数の機能を備えた多機能性ロープ及び土木工事用袋体を提供する。【解決手段】多機能性ロープ１は、縒り合された複数のストランド１０からなり、複数のストランド１０がそれぞれ縒り合された複数のヤーン１１からなり、複数のストランド１０のうち少なくとも１本が識別ストランド１０ａであり、識別ストランド１０ａを構成する複数のヤーン１１のうち少なくとも１本が識別ヤーン１１ａであり、識別ヤーン１１ａは、白色または蛍光色であり、識別ヤーン１１ａ以外のヤーン１１は、黒色系の暗色である。土木工事用袋体は、網状の袋材と、袋材の口部に接続した吊りロープと、袋材の口を絞るための口絞りロープと、を備え、吊りロープまたは口絞りロープの少なくとも一方が、多機能性ロープ１である。【選択図】図１
0003211315.tif 000002
【実用新案登録請求の範囲】
【請求項１】
縒り合された複数のストランドからなり、前記複数のストランドがそれぞれ縒り合された複数のヤーンからなる、土木工事用袋体に用いる多機能性ロープであって、
前記複数のストランドのうち少なくとも１本が識別ストランドであり、
前記識別ストランドを構成する複数のヤーンのうち少なくとも１本が識別ヤーンであり、
前記識別ヤーンは、白色または蛍光色であり、
前記識別ヤーン以外のヤーンは、黒色系の暗色であることを特徴とする、
多機能性ロープ。
【請求項２】
編まれた複数のストランドからなり、前記複数のストランドがそれぞれ縒り合された複数のヤーンからなる、土木工事用袋体に用いる多機能性ロープであって、
前記複数のストランドのうち少なくとも１本が識別ストランドであり、
前記識別ストランドを構成する複数のヤーンのうち少なくとも１本が識別ヤーンであり、
前記識別ヤーンは、白色または蛍光色であり、
前記識別ヤーン以外のヤーンは、黒色系の暗色であることを特徴とする、
多機能性ロープ。
【請求項３】
網状の袋材と、前記袋材の口部に接続した吊りロープと、前記袋材の口を絞るための口絞りロープと、を備えた、土木工事用袋体であって、
前記吊りロープまたは前記口絞りロープの少なくとも一方が、請求項１又は２に記載の多機能性ロープであることを特徴とする、
土木工事用袋体。
【考案の詳細な説明】
【技術分野】
【０００１】
本考案は、多機能性ロープ及びこれを用いた土木工事用袋体に関する。
【背景技術】
【０００２】
土木工事用袋体は、網状の袋材と、袋材の口部から引き出した吊りロープと、袋材の口部を絞るための口絞りロープと、を備える工事用資材である（特許文献１）。袋材の内部に玉石や割栗石などの中詰め材を充填し、口をロープで縛ることで扁平球形の中詰め材を構成し、口部から引き出した吊りロープを重機に玉掛けして吊り上げることで、これを護岸や橋脚に設置して根固め工を施工する。
【先行技術文献】
【特許文献】
【０００３】
【特許文献１】特開平１１−１３１４４７号公報
【考案の概要】
【考案が解決しようとする課題】
【０００４】
しかし従来技術には以下の問題点がある。
＜１＞吊りロープと口絞りロープの径が同程度であり、耐候性を確保するためにいずれも黒原着素材を使用している。そのため、吊りロープや口絞りロープの引き出し作業において袋材の口部に黒色の複数のロープが錯綜するので両者を判別しにくい。よって、施工効率が悪い。
＜２＞ロープが黒いため、暗所での作業や夜間作業においてロープを視認しにくい。
＜３＞施工前の生態系を原状回復させることが求められるところ、魚を誘引する機能を備えないため、施工場所に魚礁を回復させることができない。
【課題を解決するための手段】
【０００５】
上記のような課題を解決するための、本考案の多機能性ロープは、縒り合された複数のストランドからなり、複数のストランドがそれぞれ縒り合された複数のヤーンからなり、複数のストランドのうち少なくとも１本が識別ストランドであり、識別ストランドを構成する複数のヤーンのうち少なくとも１本が識別ヤーンであり、識別ヤーンは、白色または蛍光色であり、識別ヤーン以外のヤーンは、黒色系の暗色であることを特徴とする。
【０００６】
本考案の多機能性ロープは、編まれた複数のストランドからなり、複数のストランドがそれぞれ縒り合された複数のヤーンからなり、複数のストランドのうち少なくとも１本が識別ストランドであり、識別ストランドを構成する複数のヤーンのうち少なくとも１本が識別ヤーンであり、識別ヤーンは、白色または蛍光色であり、識別ヤーン以外のヤーンは、黒色系の暗色であることを特徴とする。
【０００７】
本考案の土木工事用袋体は、網状の袋材と、袋材の口部に接続した吊りロープと、袋材の口を絞るための口絞りロープと、を備え、吊りロープまたは口絞りロープの少なくとも一方が、多機能性ロープであることを特徴とする。
【考案の効果】
【０００８】
本願発明は以上説明した構成を有するため、次の効果の少なくともひとつを備える。
＜１＞吊りロープと口絞りロープの判別が容易であるため、中詰め材封入の作業効率を向上させることができる。
＜２＞ロープの視認性が高いため、暗所や夜間における作業効率を向上させることができる。
＜３＞ロープの識別色が魚の興味を惹き付けることで、施工場所に魚を集めて魚礁を形成することができる。
【図面の簡単な説明】
【０００９】
【図１】本考案に係る多機能性ロープの説明図。
【図２】本考案に係る土木工事用袋体の説明図。
【考案を実施するための形態】
【００１０】
以下、図面を参照しながら本考案の多機能性ロープおよび土木工事用袋体について詳細に説明する。
【実施例１】
【００１１】
[多機能性ロープ]
＜１＞全体の構成（図１）。
本考案の多機能性ロープ１は、土木工事用袋体Ａに用いるロープであって、ロープ本来の機能に加えて識別機能や魚礁形成機能などの機能を備えたロープである。
多機能性ロープ１は、複数のストランド１０を縒り合わせてなる。
複数のストランド１０はそれぞれ複数のヤーン１１を縒り合わせてなる。
本例では、多機能性ロープ１として、１０本のヤーン１１を縒り合わせたストランド１０を３本縒り合せてなる縒りロープを採用する。なお、本数はこれに限られず、用途に応じて適宜の本数とすることができる。
各ストランド１０のヤーン１１は、後述する識別ヤーン１１ａを除き、黒色系の暗色の素材からなる。これは、紫外線による劣化を防ぎロープの耐用年数を長くするとともに、識別ヤーン１１ａとの色彩のコントラストを強くすることで視認性を高めるためである。
【００１２】
＜２＞識別ストランドと識別ヤーン。
識別ストランド１０ａは、多機能性ロープ１を他のロープと識別するための識別機能を備えるストランドである。本例では、３本のストランド１０のうち１本を識別ストランド１０ａとする。
識別ストランド１０ａは、識別ヤーン１１ａを備える。本例では、識別ヤーン１１ａを構成する１０本のヤーンのうち１本を識別色の識別ヤーン１１ａとする。
識別ヤーン１１ａは識別色の繊維からなるヤーンである。
なお、識別ストランド１０ａと識別ヤーン１１ａの各構成は本例に限られず、例えば全てのストランド１０を識別ストランド１０ａとしてもよい。
【００１３】
＜３＞識別色。
本考案の多機能性ロープ１は、識別ストランド１０ａの識別ヤーン１１ａが識別色の繊維からなるため、識別ヤーン１１ａ以外のヤーン１１の黒色との対比によって、作業者の注意を視覚的に強く惹き付ける（視認性）とともに、他のロープとの判別を容易にする（判別性）。
ここで、識別色とは、白色または蛍光色を示し、蛍光色は、黄色系、赤色系、緑色系、水色系、オレンジ色系、ピンク色系等の各色を含む。
【００１４】
[土木工事用袋体]
＜１＞全体の構成（図２）。
引き続き、本考案の土木工事用袋体について詳細に説明する。
本考案の土木工事用袋体Ａは、網状の袋材ａ１と、袋材ａ１の口部に連通した吊りロープａ２と、袋材ａ１の口を絞るための口絞りロープａ３と、を備える袋体において、吊りロープａ２または口絞りロープａ３のいずれか一方に多機能性ロープ１を用いた袋体である。
本例では、口絞りロープａ３を多機能性ロープ１とし、吊りロープａ２を通常のロープとする。もちろん、この逆の構成であってもよい。
【００１５】
＜２＞土木工事用袋体の識別機能。
本考案の土木工事用袋体Ａは、多機能性ロープ１を備えることで、吊りロープａ２と口絞りロープａ３との判別が容易になる。このため両者の取り違えがなくなるので中詰め材Ｂ充填後の作業が非常に容易になる（判別性）。
また、識別ヤーン１１ａに蛍光色を採用した場合、ロープを視認しやすくなるため暗所での作業が容易になる（視認性）。
【００１６】
＜３＞土木工事用袋体の魚礁形成機能。
根固め工の施工においては、環境保全の要請から施工場所に魚礁を回復することが求められる。ここで、魚類は今まで見たことのないものや色彩に興味を惹かれる傾向がある。
しかし、従来技術は、土木工事用袋体が黒色系の単色で構成され、魚の興味を惹かないため、魚礁を形成するのが困難であった。
これに対し、本考案の土木工事用袋体Ａは、多機能性ロープ１が識別色を備えるため、魚の好奇心を喚起して魚を集めることで、施工場所に人口魚礁を回復させることができる。
特に蛍光色は自然環境に存在しない色であるため、識別色を蛍光色とすることで、より効果的に人口魚礁を形成することができる。
【実施例２】
【００１７】
[多機能性ロープが編みロープからなる例]
実施例１では、多機能性ロープ１として縒りロープを採用したが、これに限らず、複数のストランド１０を丸編みや角編みして形成した編みロープを採用してもよい。
【実施例３】
【００１８】
[吊りロープと口絞りロープの双方に多機能性ロープを用いた例]
実施例１では、吊りロープａ２または口絞りロープａ３のいずれか一方のみを多機能性ロープ１としたが、これに限らず、双方を多機能性ロープ１としてもよい。
この場合、両ロープが発光するため視認性が高まり作業効率がさらによくなる。また、吊りロープａ２と口絞りロープａ３の識別色を変えれば、両ロープの識別性も確保することができる。
【符号の説明】
【００１９】
１      多機能性ロープ
１０    ストランド
１０ａ  識別ストランド
１１    ヤーン
１１ａ  識別ヤーン
Ａ      土木工事用袋体
ａ１    袋材
ａ２    吊りロープ
ａ３    口絞りロープ
Ｂ      中詰め材
【図１】
0003211315.tif 000003
【図２】
0003211315.tif 000004